(57)【要約】【課題】不要となったＩＣカードのセキュリティを、券面を損なうことなく確実に確保することが可能である。また、更新手続きに時間を要することがなくなるばかりか、更新したＩＣカードを紛失したり誤って破壊してしまった場合にも、容易に再発行することが可能である。【解決手段】不要となったＩＣチップＣ１を有するＩＣカード１の処理で、ＩＣチップＣ１をＩＣカード１から分離することなく、ＩＣチップＣ１を破壊する。【選択図】図２
2004118438.tif 000002
【特許請求の範囲】
【請求項１】
不要となったＩＣチップを有するＩＣカードの処理方法であり、
前記ＩＣチップを前記ＩＣカードから分離することなく、前記ＩＣチップを破壊することを特徴とするＩＣカードの処理方法。
【請求項２】
前記ＩＣチップを機械的または物理的に破壊することを特徴とする請求項１に記載のＩＣカードの処理方法。
【請求項３】
前記破壊に先立って、不要となった前記ＩＣカードの前記ＩＣチップに記憶されているデータを読み取り新たなＩＣカードのＩＣチップ及び／または他の記憶装置に記憶させることを特徴とする請求項１または請求項２に記載のＩＣカードの処理方法。
【請求項４】
前記ＩＣカードの基材表面に顔画像を有することを特徴とする請求項１乃至請求項３のいずれか１項に記載のＩＣカードの処理方法。
【請求項５】
前記ＩＣカードが、非接触型であることを特徴とする請求項１乃至請求項４のいずれか１項に記載のＩＣカードの処理方法。
【請求項６】
前記ＩＣカードが、その所有者の個人識別情報を記録するＩＣチップと、ＩＣチップに接続された通信用コイルとを有する認証カードであることを特徴とする請求項１乃至請求項５のいずれか１項に記載のＩＣカードの処理方法。
【請求項７】
不要となったＩＣチップを有するＩＣカードを処理するＩＣカード処理装置であり、
前記ＩＣチップを前記ＩＣカードから分離することなく前記ＩＣチップを破壊するＩＣチップ破壊手段を有することを特徴とするＩＣカード処理装置。
【請求項８】
前記ＩＣチップ破壊手段は、ＩＣチップを機械的または物理的に破壊することを特徴とする請求項７に記載のＩＣカード処理装置。
【請求項９】
前記破壊に先立って、不要となった前記ＩＣカードの前記ＩＣチップに記憶されているデータを読み取り新たなＩＣカードのＩＣチップ及び／または他の記憶装置に記憶させる読取書込手段を設けたことを特徴とする請求項７または請求項８に記載のＩＣカード処理装置。
【請求項１０】
前記ＩＣカードは、その基材表面に顔画像を有することを特徴とする請求項７乃至請求項９のいずれか１項に記載のＩＣカード処理装置。
【請求項１１】
前記ＩＣカードが、非接触型であることを特徴とする請求項７乃至請求項１０のいずれか１項に記載のＩＣカード処理装置。
【請求項１２】
前記ＩＣカードが、その所有者の個人識別情報を記録するＩＣチップと、ＩＣチップに接続された通信用コイルとを有する認証カードであることを特徴とする請求項７乃至請求項１１のいずれか１項に記載のＩＣカード処理装置。
【発明の詳細な説明】
【０００１】
【発明の属する技術分野】
この発明は、ＩＣカードの処理方法及びＩＣカード処理装置に関する。
【０００２】
【従来の技術】
近年、ＩＣカードは、銀行カード、クレジットカード、通勤、通学定期カード等、広く利用されている。これらのＩＣカードには、更新などで、使われなくなるものがある。この有効期限切れ等で不要となったＩＣカードは、悪用されたり、偽変造される可能性があるなどの問題がある。
【０００３】
このような問題を防止し、不要となったＩＣカードを使用不能とするために、ＩＣチップをカードから分離する方法及びＩＣチップをカードから分離するための装置が開示されている（例えば特許文献１、特許文献２参照）。
【０００４】
【特許文献１】
特開２００２−１５２８７号公報（第５頁〜第６頁、図３〜図６）
【０００５】
【特許文献２】
特願２００２−９６６１９号明細書（第１頁〜第１０頁、図２）
【０００６】
【発明の解決しようとする課題】
しかしこれらの従来技術では、ＩＣチップをカードから分離するため、ＩＣカードの券面が損なわれてしまう。
【０００７】
特に、ＩＣカードが社員、学生、会員など組織での身元及び身分を証明するために用いられるカードの場合には、本人であることを確認するために、氏名、組織名、部署名、社員（学生、会員）番号といった基本的な個人識別情報などをカードの券面に印字するだけではなく、顔写真も券面に印刷されていることが多い。
【０００８】
これらのようなＩＣカードにおいて、ＩＣチップをカードから分離すると、個人識別情報や顔写真などの一部が切り取られることになり、例えば更新によって新たに発行されたＩＣカードを紛失したり誤って破壊してしまい再発行を行う場合、更新により不要となったＩＣカードを所持していても、券面の個人識別情報や顔写真などの一部が欠けているために、本人であることの確認やＩＣチップ内に保存されていたデータの確認に時間を要し、再発行を容易に行うことができないといった問題が生じる。
【０００９】
また、ＩＣカードを更新する場合には、新しいＩＣカードのＩＣチップに個人識別情報を新たに入力しなければならず、手続きに時間を要する。
【００１０】
この発明は、かかる実情に鑑みてなされたもので、不要となったＩＣカードのセキュリティを、券面を損なうことなく確実に確保することが可能なＩＣカードの処理方法及びＩＣカード処理装置を提供することを目的としている。
【００１１】
さらに、更新手続きに時間を要することがなくなるばかりか、更新したＩＣカードを紛失したり誤って破壊してしまった場合にも、容易に再発行することが可能となるＩＣカードの処理方法及びＩＣカード処理装置を提供することを目的としている。
【００１２】
【課題を解決するための手段】
前記課題を解決し、かつ目的を達成するために、この発明は、以下のように構成した。
【００１３】
請求項１に記載の発明は、不要となったＩＣチップを有するＩＣカードの処理方法であり、
前記ＩＣチップを前記ＩＣカードから分離することなく、前記ＩＣチップを破壊することを特徴とするＩＣカードの処理方法である。
【００１４】
この請求項１に記載の発明によれば、ＩＣチップをＩＣカードから分離することなく破壊することで、例えば有効期限切れ等で不要となったＩＣカードのセキュリティを、券面を損なうことなく確実に確保することが可能となる。また、更新したＩＣカードを紛失したり誤って破壊してしまった場合に、容易に再発行することが可能となる。
【００１５】
請求項２に記載の発明は、前記ＩＣチップを機械的または物理的に破壊することを特徴とする請求項１に記載のＩＣカードの処理方法である。
【００１６】
この請求項２に記載の発明によれば、ＩＣチップを機械的または物理的に簡単かつ確実に破壊することができる。
【００１７】
請求項３に記載の発明は、前記破壊に先立って、不要となった前記ＩＣカードの前記ＩＣチップに記憶されているデータを読み取り新たなＩＣカードのＩＣチップ及び／または他の記憶装置に記憶させることを特徴とする請求項１または請求項２に記載のＩＣカードの処理方法である。
【００１８】
この請求項３に記載の発明によれば、破壊に先立って、不要となったＩＣカードのＩＣチップに記憶されているデータを読み取り新たなＩＣカードのＩＣチップ及び／または他の記憶装置に記憶することで、容易に再発行することが可能となる。
【００１９】
請求項４に記載の発明は、前記ＩＣカードの基材表面に顔画像を有することを特徴とする請求項１乃至請求項３のいずれか１項に記載のＩＣカードの処理方法である。
【００２０】
この請求項４に記載の発明によれば、ＩＣカードの基材表面に顔画像を有し、再発行を行う場合、本人であることの確認やＩＣチップ内に保存されていたデータの確認に時間を要さず、再発行を容易に行うことができる。
【００２１】
請求項５に記載の発明は、前記ＩＣカードが、非接触型であることを特徴とする請求項１乃至請求項４のいずれか１項に記載のＩＣカードの処理方法である。
【００２２】
この請求項５に記載の発明によれば、ＩＣカードが、非接触型であり、接触面の劣化や接触不良などが起こらず、ＩＣカードヘの電力供給及びデータ信号の入出力を確実に行なうことができる。
【００２３】
請求項６に記載の発明は、前記ＩＣカードが、その所有者の個人識別情報を記録するＩＣチップと、ＩＣチップに接続された通信用コイルとを有する認証カードであることを特徴とする請求項１乃至請求項５のいずれか１項に記載のＩＣカードの処理方法である。
【００２４】
この請求項６に記載の発明によれば、ＩＣカードをキャッシュカード、従業者証、社員証、会員証、学生証、外国人登録証及び各種運転免許証、名刺、ネームプレート、パスポート、診察カード、テレホンカード、定期券等を包含するカードとして広く使用することができる。
【００２５】
請求項７に記載の発明は、不要となったＩＣチップを有するＩＣカードを処理するＩＣカード処理装置であり、
前記ＩＣチップを前記ＩＣカードから分離することなく前記ＩＣチップを破壊するＩＣチップ破壊手段を有することを特徴とするＩＣカード処理装置である。
【００２６】
この請求項７に記載の発明によれば、ＩＣチップをＩＣカードから分離することなく破壊することで、例えば有効期限切れ等で不要となったＩＣカードのセキュリティを、券面を損なうことなく確実に確保することが可能となる。また、更新したＩＣカードを紛失したり誤って破壊してしまった場合に、容易に再発行することが可能となる。
【００２７】
請求項８に記載の発明は、前記ＩＣチップ破壊手段は、ＩＣチップを機械的または物理的に破壊することを特徴とする請求項７に記載のＩＣカード処理装置である。
【００２８】
この請求項８に記載の発明によれば、ＩＣチップを機械的または物理的に簡単かつ確実に破壊することができる。
【００２９】
請求項９に記載の発明は、前記破壊に先立って、不要となった前記ＩＣカードの前記ＩＣチップに記憶されているデータを読み取り新たなＩＣカードのＩＣチップ及び／または他の記憶装置に記憶させる読取書込手段を設けたことを特徴とする請求項７または請求項８に記載のＩＣカード処理装置である。
【００３０】
この請求項９に記載の発明によれば、破壊に先立って、不要となったＩＣカードのＩＣチップに記憶されているデータを読み取り新たなＩＣカードのＩＣチップ及び／または他の記憶装置に記憶することで、容易に再発行することが可能となる。
【００３１】
請求項１０に記載の発明は、前記ＩＣカードは、その基材表面に顔画像を有することを特徴とする請求項７乃至請求項９のいずれか１項に記載のＩＣカード処理装置である。
【００３２】
この請求項１０に記載の発明によれば、ＩＣカードの基材表面に顔画像を有し、再発行を行う場合、本人であることの確認やＩＣチップ内に保存されていたデータの確認に時間を要さず、再発行を容易に行うことができる。
【００３３】
請求項１１に記載の発明は、前記ＩＣカードが、非接触型であることを特徴とする請求項７乃至請求項１０のいずれか１項に記載のＩＣカード処理装置である。
【００３４】
この請求項１１に記載の発明によれば、ＩＣカードが、非接触型であり、接触面の劣化や接触不良などが起こらず、ＩＣカードヘの電力供給及びデータ信号の入出力を確実に行なうことができる。
【００３５】
請求項１２に記載の発明は、前記ＩＣカードが、その所有者の個人識別情報を記録するＩＣチップと、ＩＣチップに接続された通信用コイルとを有する認証カードであることを特徴とする請求項７乃至請求項１１のいずれか１項に記載のＩＣカード処理装置である。
【００３６】
この請求項１２に記載の発明によれば、ＩＣカードをキャッシュカード、従業者証、社員証、会員証、学生証、外国人登録証及び各種運転免許証、名刺、ネームプレート、パスポート、診察カード、テレホンカード、定期券等を包含するカードとして広く使用することができる。
【００３７】
【発明の実施の形態】
以下、この発明のＩＣカードの処理方法及びＩＣカード処理装置の実施の形態を説明する。なお、この発明は、この実施の形態に限定されるものではない。
【００３８】
この実施の形態のＩＣカードとは、キャッシュカード、従業者証、社員証、会員証、学生証、外国人登録証及び各種運転免許証、名刺、ネームプレート、パスポート、診察カード、テレホンカード、定期券等を包含するカードであって、一般に手札程度の大きさであり、かつ多くの場合携帯して使用するものである。具体的に顔写真の入った非接触型ＩＣカードを適用した、例えば会社の従業員カードの例について説明する。
【００３９】
ＩＣカードは、塩化ビニル樹脂の合成樹脂などで作成された基体の一部に設けられた凹部にＩＣユニットを収容したもので、ＩＣと外部回路との電気的な接触の仕方によって接触型と非接触型とがある。しかし、接触型のようにカード表面に接触端子が露出していると、接触面の劣化、接触不良などが起こり、ＩＣカードヘの電力供給及びデータ信号の入出力が行われなくなる等の問題が生じる。
【００４０】
そこで、非接触に電気信号を授受するためのアンテナコイルで電磁波を発生及び／又は電磁波を受ける構成を有するＩＣカードが出現している。
【００４１】
図１はこのような表面に金属端子のない非接触型のＩＣカードの１例を示す平面図である。図において、ＩＣカード１には、ＩＣチップＣ１及びＲ／Ｗ（リード／ライト）のための信号授受部としてアンテナコイルＣ２を有するＩＣユニットＣが設けられている。
【００４２】
キー情報部Ｃ３はＩＣカード１と他のカードを識別するための属性識別情報で、例えばＩＣカード１の表面に付されたコード番号である。また、文字情報部Ｃ４はＩＣカード１の表面に付された氏名・職場・発行日などで、画像情報部Ｃ５は顔などの画像情報である。
【００４３】
顔画像は、昇華型熱転写方式により形成されるのが、比較的簡便に画像を形成できるため好ましい。
【００４４】
図２はＩＣカードの層構成を模式的に示す断面図である。第１のシート材１０と第２のシート材２０の間に介在される接着剤層３１，３２内にＩＣチップＣ１及びアンテナコイルＣ２を有するＩＣユニットＣを封入したＩＣカード１の構成である。
【００４５】
第２のシート材２０上に直接、または接着剤層３２を間に挟むようにＩＣユニットＣを載置し、その上から更に接着剤層３１を介在させた後、第１のシート材１０を接着してＩＣカード１を製造する。ＩＣユニットＣは、接着剤層３１と接着剤層３２との間に埋め込まれた形になっている。
【００４６】
第１のシート材１０の表面側には、受像層が設けられ、第２のシート材２０の表面側には、筆記層が設けられており、受像層の上にはさらにホットスタンプ層、ＵＶ樹脂層が貼り合わせ後のカード上に設けられる。
【００４７】
ここで、第１のシート材１０及び第２のシート材２０のカード基体、受像層、筆記層に関しては、特開平７−８８９７４号に詳細な記載があり、ＩＣカード１のシート材としては、各種カード基材として使用されているポリエステル樹脂，ＡＢＳ樹脂，塩化ビニル樹脂等の樹脂シート、熱転写紙，上質紙，アート紙，コート紙等の紙、などを用いることができる。これらの中でも、環境へ与える負荷が比較的少なく、白色度、耐久性の点に優れる白色ＰＥＴが特に好ましい。
【００４８】
ＩＣカード１を更新する際には、機械的にＩＣチップＣ１がカードから分離されない程度の押圧力をＩＣチップＣ１にかけて、または物理的に高電圧を印加してもしくは高磁界にさらしてＩＣチップＣ１を破壊する。
【００４９】
このようなＩＣチップＣ１の機械的または物理的な破壊に先立って、ＩＣカード１に記憶されているデータを読み取り新たなＩＣカードのＩＣチップ及び／または他の記憶装置に記憶させておくと、更新手続きに時間を要することがなくなるばかりか、更新したＩＣカード１を紛失したり誤って破壊してしまった場合に、容易に再発行することが可能となり好ましい。また、ＩＣチップＣ１の機械的破壊と物理的破壊は、同時に行ってもよい。
【００５０】
図３はＩＣカード処理装置であり、不要になったＩＣカードのＩＣチップＣ１に記憶されているデータを読み取り、この読み取られたデータを新たなＩＣカード１のＩＣチップないし他の記憶装置４１に記憶させる読取書込手段４０と、ＩＣチップを機械的または物理的に破壊するＩＣチップ破壊手段４２とを有している。
【００５１】
読取書込手段４０は、例えばリーダライタが用いられ、このリーダライタは、接触型、非接触型、或は接触、非接触共用型があるが特に限定されず周知のものが用いられる。
【００５２】
ＩＣチップ破壊手段４２によりＩＣチップがカードから分離されない程度の押圧力をＩＣチップにかけて、または物理的に高電圧を印加してもしくは高磁界にさらして機械的または物理的に破壊することで、不要になったＩＣカード１のセキュリティを確実に確保することができる。
【００５３】
また、ＩＣチップの機械的または物理的な破壊に先立ち、読取書込手段４０によって読み取ったデータを新たなＩＣカードのＩＣチップないし他の記憶装置４１に記憶させることにより、更新手続きに時間を要することがなくなるばかりか、更新したＩＣカードを紛失したり誤って破壊してしまった場合に、容易に再発行することが可能となる。
［実施例］
実施例として、ＩＣチップ部の耐圧６０Ｎ、耐熱１９０℃、外形が縦３ｍｍ、横３ｍｍ、厚さ０．２ｍｍのＩＣチップを用い、ＰＥＴシート間にホットメルト接着剤を充填させることでＩＣチップ及び通信用アンテナコイルを内包し、表面に顔画像を昇華型熱転写方式により形成した、厚み０．７６ｍｍの非接触式のＩＣカードを使用した。
【００５４】
なお、耐圧は、先端が１ｍｍφの球形状になっているプッシュープルゲージを押し込んで測定した。
【００５５】
このＩＣカードに所望の個人情報を書き込んだ。
（実施例１）
前記ＩＣカードを一定期間使用した後、専用のリーダライタを用いて、ＩＣカードに記憶されているデータを読み取り、別の新たなＩＣカードに記憶させた。
【００５６】
その後、更新済みで不要となったＩＣカードのＩＣチップ部分に８０Ｎの点圧を与えた。ここで、再度専用のリーダライタを用いてデータを確認しようとしたところ通信不能であり、ＩＣチップは完全に破壊された。この時、ＩＣカードは切れたり破れたりすることなく、券面は損なわれていなかった。
（実施例２）
前記ＩＣカードを一定期間使用した後、ＩＣカード専用のリーダライタを用いて、ＩＣカードに記憶されているデータを読み取り、他の記憶装置に記憶させた。
【００５７】
その後、更新済みで不要となったＩＣカードのＩＣチップ部分に、２０ｋＶの高電圧を印加した。ここで、再度専用のリーダライタを用いてデータを確認しようとしたところ通信不能であり、ＩＣチップは完全に破壊された。この時、ＩＣカードは切れたり破れたりすることなく、券面は損なわれていなかった。
（実施例３）
前記ＩＣカードのＩＣチップ部分に高電圧を印加しながら７０Ｎの点圧を与えた以外は実施例２と同様にしてＩＣカードの処理を行った。ここで、再度専用のリーダライタを用いてデータを確認しようとしたところ通信不能であり、ＩＣチップは完全に破壊された。この時、ＩＣカードは切れたり破れたりすることなく、券面は損なわれていなかった。
【００５８】
【発明の効果】
前記したように、請求項１及び請求項７に記載の発明では、ＩＣチップをＩＣカードから分離することなく破壊することで、例えば有効期限切れ等で不要となったＩＣカードのセキュリティを、券面を損なうことなく確実に確保することが可能となる。また、更新したＩＣカードを紛失したり誤って破壊してしまった場合に、容易に再発行することが可能となる。
【００５９】
請求項２及び請求項８に記載の発明では、ＩＣチップを機械的または物理的に簡単かつ確実に破壊することができる。
【００６０】
請求項３及び請求項９に記載の発明では、破壊に先立って、不要となったＩＣカードのＩＣチップに記憶されているデータを読み取り新たなＩＣカードのＩＣチップ及び／または他の記憶装置に記憶することで、容易に再発行することが可能となる。
【００６１】
請求項４及び請求項１０に記載の発明では、ＩＣカードの基材表面に顔画像を有し、再発行を行う場合、本人であることの確認やＩＣチップ内に保存されていたデータの確認に時間を要さず、再発行を容易に行うことができる。
【００６２】
請求項５及び請求項１１に記載の発明では、ＩＣカードが、非接触型であり、接触面の劣化や接触不良などが起こらず、ＩＣカードヘの電力供給及びデータ信号の入出力を確実に行なうことができる。
【００６３】
請求項６及び請求項１２に記載の発明では、ＩＣカードをキャッシュカード、従業者証、社員証、会員証、学生証、外国人登録証及び各種運転免許証、名刺、ネームプレート、パスポート、診察カード、テレホンカード、定期券等を包含するカードとして広く使用することができる。
【図面の簡単な説明】
【図１】表面に金属端子のない非接触型のＩＣカードの１例を示す平面図である。
【図２】ＩＣカードの層構成を模式的に示す断面図である。
【図３】ＩＣカード処理装置であり
【符号の説明】
１　ＩＣカード
１０　第１のシート材
２０　第２のシート材
３１，３２　接着剤層
Ｃ　ＩＣユニット
Ｃ１　ＩＣチップ
Ｃ２　アンテナコイル
Ｃ３　キー情報部
Ｃ４　文字情報部
Ｃ５　画像情報部
４０　読取書込手段
４１　記憶装置
４２　ＩＣチップ破壊手段
【図１】
2004118438.tif 000003
【図２】
2004118438.tif 000004
【図３】
2004118438.tif 000005